(57)【要約】      （修正有）【課題】金車に加工を加えたりせず、極めて容易に金車に装着できる、製造が容易な金車の巻き込み防止具を提供する。【解決手段】一定長の管の一端から他端まで、一側に切り込み１ａを有するゴム管１の中央部を、切り込み１ａを含む一側を抉って帯状の連結部２を設け、連結部２の両側部に、切り込み１ａを有する防護管部３を夫々設けた金車の巻き込み防止具から成り、金車の巻き込み防止具の連結部２を金車の支持枠内に通してシーブの外周の一部に掛け、連結部２の両側の各防護管部３をシーブに掛けたワイヤ又はロープの出入部に被冠する構成とした。【選択図】図３
0003234149.tif 000002
【実用新案登録請求の範囲】
【請求項１】
一定長の管の一端から他端まで、一側に切り込みを有するゴム管の中央部を、前記切り込みを含む一側を抉って帯状の連結部を設け、当該連結部の両側部に、前記切り込みを有する防護管部を夫々設けた金車の巻き込み防止具から成り、
当該金車の巻き込み防止具の連結部を金車の支持枠内に通してシーブの外周の一部に掛け、前記連結部の両側の各防護管部をシーブに掛けたワイヤ又はロープの出入部に被冠する構成としたことを特徴とする、金車の巻き込み防止具。
【請求項２】
前記金車の巻き込み防止具を金車に装着した際、前記ワイヤ又はロープの出入部に被冠した前記防護管部の両端部外周をテープで巻き付けて固定したことを特徴とする、請求項１に記載の金車の巻き込み防止具。
【請求項３】
前記一方の防護管部に一端を係止した係止ロープが設けられ、当該金車の巻き込み防止具を金車に装着した際、前記係止ロープの他端を金車の補助フックに係止する構成としたことを特徴とする、請求項１又は２に記載の金車の巻き込み防止具。
【考案の詳細な説明】
【技術分野】
【０００１】
この考案は、鉄塔の脚部等に設けた金車にワイヤロープ等を掛けて、当該ワイヤロープを鉄塔に沿って昇降させる際に、作業員の手や腕が金車とワイヤロープとの間に巻き込まれるのを防止する防止具に関するものである。
【背景技術】
【０００２】
ワイヤロープ等を介して鉄塔等の上部へ工事資材や工具等を引き上げたり下方に下ろしたりする際に鉄塔の脚部等に金車を支持させ、当該金車に前記ワイヤロープ等を通しているが、これらの金車とワイヤロープとの間に作業員の指、手、腕等が巻き込まれる恐れがある。この様な金車とワイヤロープとの間に作業員の手や腕等が巻き込まれないように種々の防止具や装置が開発されている。
【０００３】
特許文献１のものはその一つであり、外周部にワイヤ溝を有する金車と、当該金車の中心軸を回転自在に支持する吊り具と、安全カバーとを備えた金車装置であって、前記安全カバーは一部を金車の中心軸に回転自在に軸支されたアームと、当該アームに固定されて、金車に巻き掛けられたワイヤを包囲する包囲具とを備えたものである。
【０００４】
また、同じく特許文献２は、ワイヤロープを巻き掛けした回転円盤、この回転円盤と回転自在に連結した支持軸を両軸支持するフレーム、及びこのフレームの基端部に固定したフックを備えた金車に身体の一部が巻き込まれることを防止する金車用巻き込み防止装置であって、前記フックが挿通自在な十字状の切れ目を中央部に有し、一対の第１留め具を両端部に取り付けたゴム板部材と、前記第１留め具と着脱自在な第２留め具を長手方向に連接し、前記フレームを上方から被う一対の屈曲自在な帯板状の連結部材と、前記ワイヤロープをその外周方向から導入自在に開閉する一対の鍔部を外周の一部に有する一対の防護管とを備え、前記防護管は前記鍔部と反対側の一方の端部に前記第１留め具を取り付けている、金車用巻き込み防止装置である。
【先行技術文献】
【特許文献】
【０００５】
【特許文献１】特開２０１１−７２１５０号公報
【特許文献２】特開２０１７−１３２５６８号公報
【考案の開示】
【考案が解決しようとする課題】
【０００６】
上記特許文献１のものは、金車装置であって、予め金車に巻き掛けられた包囲具を設けており、当該包囲具はワイヤを金車に掛ける際には、ワイヤ脱着用の開閉部を備えなければならない。また、上記特許文献２のものは、ゴム板部材と一対の帯板状の連結部材と前記各連結部材と連結する一対の防護管からなり、部材点数が多く、製造に手間がかかり、また、金車に取り付ける際は、ゴム板部材に一対の連結部材を、当該連結部材に一対の防護管を取り付けなければならず、手間がかかるものである。
【０００７】
この考案は、上記の点に着目し、金車に加工を加えたりせず、極めて容易に金車に装着できる、製造が容易な金車の巻き込み防止具を提供することを目的としたものである。
【課題を解決するための手段】
【０００８】
請求項１の考案は、一定長の管の一端から他端まで、一側に切り込みを有するゴム管の中央部を、前記切り込みを含む一側を切り欠いて帯状の連結部を設け、当該連結部の両側部に防護管部を夫々有する金車の巻き込み防止具から成り、当該防止具の連結部を金車の支持枠内に通してシーブの外周の一部に掛け、前記連結部の両側の各防護管部をシーブに掛けたワイヤ又はロープの出入部に被冠する構成とした、金車の巻き込み防止具とした。
【０００９】
また、請求項２の考案は、前記金車の巻き込み防止具を金車に装着した際、前記ワイヤ又はロープの出入部に被冠した前記防護管部の外周をテープで巻き付けて固定した、請求項１に記載の金車の巻き込み防止具とした。
【００１０】
また、請求項３の考案は、前記一方の防護管部に一端を係止した係止ロープが設けられ、当該金車の巻き込み防止具を金車に装着した際、前記係止ロープの他端を金車の補助フックに係止する構成とした、請求項１又は２に記載の金車の巻き込み防止具とした。
【考案の効果】
【００１１】
請求項１の考案によれば、当該金車の巻き込み防止具は、ゴム管から構成され、当該ゴム管の中央部に切り欠きを設けた極めてシンプルなもののため、製造が極めて容易であり、製造コストも安価である。また、金車のシーブにワイヤ又はロープが出入りする箇所がゴム管から成る防護管部で覆われており、作業者の手や指等が前記シーブに巻き込まれる恐れがない。また、金車が支持フックにより適宜の固定物に支持され、シーブにワイヤ又はロープが掛かった状態でも、当該防止具の連結部を金車の支持枠体の扉部を開けて中に通し、また、ワイヤ又はロープを各防護管部の切り込みから中に入れて各防護管部を被せることができるため、当該金車の巻き込み防止具を金車に容易に装着でき、便利である。
【００１２】
また、請求項２の考案によれば、一対の防護管部は一側に切り込み入っているが、当該防護管部の両端部にテープを設けて固定しているため、当該防護管部が使用中に開く恐れがなく、作業がスムーズに行える。
【００１３】
また、請求項３の考案によれば、当該金車の巻き込み防止具を金車に装着してシーブに掛けたワイヤ又はロープを動かしても、係止ロープが一方の防護管部と金車の補助フックとに係止されているため、当該金車の巻き込み防止具が金車に対してずれたり、外れたりすることがない。
【図面の簡単な説明】
【００１４】
【図１】この考案の実施の形態例１の金車の巻き込み防止具を曲げた状態の正面図である。
【図２】この考案の実施の形態例１の金車の巻き込み防止具の正面図である。
【図３】この考案の実施の形態例１の金車の巻き込み防止具の底面図である。
【図４】この考案の実施の形態例１の金車の巻き込み防止具の図２におけるＸ−Ｘ断面図である。
【図５】この考案の実施の形態例１の金車の巻き込み防止具の図２におけるＹ−Ｙ断面図である。
【図６】この考案の実施の形態例１の金車の巻き込み防止具の使用状態を示す正面図である。
【図７】この考案の実施の形態例１の金車の巻き込み防止具の他の使用状態を示す正面図である。
【図８】この考案を装着する金車の正面図である。
【考案を実施するための形態】
【００１５】
（実施の形態例１）
この考案の実施の形態例１の金車の巻き込み防止具Ａを図１〜図５に基づいて説明する。
【００１６】
金車の巻き込み防止具Ａは、図２及び図３に示すように、一定長の管の一端から他端まで、一側に切り込み１ａを有するゴム管１の中央部を、前記切り込み１ａを含む一側を抉って帯状の連結部２を設け、当該連結部２の両側部に夫々防護管部３、３を有するものである。
【００１７】
また、この金車の巻き込み防止具Ａを使用する金車Ｂは、図８に示すように、シーブ１５の軸１６を支持する枠板１７、１７をシーブ１５の両側面を被うように設け、これらの枠板１７、１７の外面の上端から下端まで細板状の支持枠体１８、１８を重ねて一体に固定し、これらの支持枠体１８、１８の上端部の間から支持フック１９が突出している。また、支持枠体１８，１８の下端部の間からアイボルトから成る補助フック２０が垂下している。
【００１８】
さらに、前記一方の枠板１７及び支持枠体１８の上端部が分割されて、当該分割箇所に設けたヒンジ２１を介して上下に回動する扉部２２が形成されている。そして、図６に示すように、適宜の支持物に吊るされた吊りワイヤ又はロープ２３に前記支持フック１９を掛けて金車Ｂが吊り下げられ、当該金車Ｂのシーブ１５に出入するワイヤ又はロープ２４を掛けて使用するものである。
【００１９】
前記金車の巻き込み防止具Ａを金車Ｂに装着するには、金車の巻き込み防止具Ａの連結部２を、金車Ｂの枠板１７及び支持枠体１８から成る扉部２２を開けて、当該開口部からシーブ１５の外周に掛け、当該連結部２の両側の各防護管部３を、シーブ１５に掛けたワイヤ又はロープ２４の導出部に被冠する。その際、各防護管部３の切り込み１ａを開けて各防護管部３内にワイヤ又はロープ２４を入れる。
【００２０】
その後、前記扉部２２を閉める。また、前記各防護管部３の両端の外周にテープ４を巻いて各防護管３が切り込み１ａからむやみに開かないようにする。
【００２１】
また、当該金車の巻き込み防止具Ａの一方の防護管部３の端部に一端を係止した係止ロープ５の他端を金車Ｂの補助フック２０に接続する。これにより金車Ｂのシーブ１５に掛けたワイヤ又はロープ２４が移動しても当該金車の巻き込み防止具Ａはその位置を保ち、金車Ｂからずれたり、外れたりしない。
【００２２】
図６は金車Ｂを吊りワイヤ又はロープ２３に垂直に吊るした状態に当該金車の巻き込み防止具Ａを装着した状態を示す。また、図７は鉄塔の脚基部２５に金車の巻き込み防止具Ａを横にした状態で支持ワイヤ又はロープ２６に支持フック１９を係止し、この状態を維持するため金車Ｂの補助フック２０から支線２７を張ったものである。これらのいずれの場合も、当該金車の巻き込み防止具Ａの両側部の防護管部３、３がシーブ１５に出入するワイヤ又はロープ２４を被冠しているため、作業者は腕や手等をシーブ１５に巻き込まれる恐れはない。
【００２３】
上記実施の形態例１では当該金車の巻き込み防止具Ａを金車Ｂに装着した際、各防護管部３の外周にテープ４を巻き付けて切り込み１ａがむやみに開かいようにしたが、このテープ４は設けない場合もある。この金車の巻き込み防止具Ａを構成するゴム管１の材質や硬さによっては切り込み１ａがむやみに開かない。また、前記テープ４には、粘着テープや面ファスナーも含まれる。
【００２４】
また、上記実施の形態例１では係止ロープ５を設けて、ワイヤ又はロープ２４がシーブ１に対して移動した場合にも当該金車の巻き込み防止具Ａがこれにつられて動かないように係止しているものであるが、この係止ロープはこの発明の必須要件ではない。
【符号の説明】
【００２５】
Ａ        金車の巻き込み防止具
Ｂ        金車
１        ゴム管                    １ａ    切り込み
２        連結部                    ３      防護管部
４        テープ                    ５      係止ロープ
１５      シーブ                    １６    軸
１７      枠板                      １８    支持枠体
１９      支持フック                ２０    補助フック
２１      ヒンジ                    ２２    扉部
２３      吊りワイヤ又はロープ      ２４    ワイヤ又はロープ
２５      脚基部                    ２６    支持ワイヤ又はロープ
２７      支線
【図１】
0003234149.tif 000003
【図２】
0003234149.tif 000004
【図３】
0003234149.tif 000005
【図４】
0003234149.tif 000006
【図５】
0003234149.tif 000007
【図６】
0003234149.tif 000008
【図７】
0003234149.tif 000009
【図８】
0003234149.tif 000010